(57)【要約】【課題】複数の可動装飾体を、同一軸線上で回転移動させることができる可動装飾装置を提供すること。【解決手段】複数条の螺旋溝が形成された螺旋軸２の外周に、軸線方向に回転移動可能な可動装飾体３ａ、３ｂを各条に設けるものとし、可動装飾体３ａ、３ｂは、螺旋構造を有するとともに螺旋溝の各条に係合する内側部材４ａ、４ｂと、その外周に設けられた装飾部材５ａ、５ｂとを備えるものとし、少なくとも一方の可動装飾体３ａは他の可動装飾体３ｂと干渉することなく個別に回転可能な構造とした。【選択図】図１
2015139916.tif 000002
【特許請求の範囲】
【請求項１】
複数条の螺旋溝が形成された螺旋軸の外周に、軸線方向に回転移動可能な可動装飾体を各条に設けるものとし、
該可動装飾体は、螺旋構造を有するとともに前記螺旋溝の各条に係合する内側部材と、その外周に設けられた装飾部材とを備えるものとし、
少なくとも一方の可動装飾体は他の可動装飾体と干渉することなく個別に回転可能な構造としたことを特徴とする可動装飾装置。
【請求項２】
各内側部材は、それぞれ１回転以上の螺旋構造を有することを特徴とする請求項１記載の可動装飾装置。
【請求項３】
各可動装飾体を回転させる駆動源を、前記螺旋軸に内蔵させたことを特徴とする請求項１記載の可動装飾装置。
【請求項４】
前記駆動源は、各内側部材の内側に形成された内歯と噛み合う歯車を備えた駆動軸であることを特徴とする請求項３記載の可動装飾装置。
【請求項５】
前記内歯は、１回転以上の螺旋構造を有することを特徴とする請求項４記載の可動装飾装置。
【請求項６】
各装飾部材は、それぞれ１回転以上の螺旋構造を有し、所定位置において一体的な立体形状を構成するものであることを特徴とする請求項１記載の可動装飾装置。
【発明の詳細な説明】
【技術分野】
【０００１】
本発明は、螺旋軸の軸線方向に移動する可動装飾体を備えた可動装飾装置に関するものである。
【背景技術】
【０００２】
人の注目を集めたり、また視覚的に興趣を高めることを目的として、様々な可動装飾装置が用いられる。このような可動装飾装置は、例えば街頭の看板等に組み込まれたり、ショーウインドウ内等に設置されたり、または遊技機等に組み込まれるなど、その用途は様々である。具体例としては、例えば特許文献１に示すように、螺旋軸の軸線方向に移動する可動装飾体を備えた遊技機の可動装飾装置がある。特許文献１記載の発明によれば、螺旋溝が形成されたスパイラル軸を回転させることにより、螺旋溝に係合する突起が設けられた可動体を、補助軸に沿って、スパイラル軸の軸線方向に移動させることができる。しかしながら、可動体の動きはスパイラル軸の軸線方向への直線移動に限定されており、また同軸線上に複数の可動体を備え、これらを行き違うようにして移動させることはできないという問題があった。
【先行技術文献】
【特許文献】
【０００３】
【特許文献１】特許第４３９７１８５号公報
【発明の概要】
【発明が解決しようとする課題】
【０００４】
本発明の目的は前記した従来の問題点を解決し、複数の可動装飾体を、同一軸線上で回転移動させることができる可動装飾装置を提供することである。
【課題を解決するための手段】
【０００５】
上記課題を解決するためになされた本発明は、複数条の螺旋溝が形成された螺旋軸の外周に、軸線方向に回転移動可能な可動装飾体を各条に設けるものとし、該可動装飾体は、螺旋構造を有するとともに前記螺旋溝の各条に係合する内側部材と、その外周に設けられた装飾部材とを備えるものとし、少なくとも一方の可動装飾体は他の可動装飾体と干渉することなく個別に回転可能な構造としたことを特徴とするものである。
【０００６】
請求項２記載の発明は、請求項１記載の可動装飾装置において、各内側部材は、それぞれ１回転以上の螺旋構造を有することを特徴とするものである。
【０００７】
請求項３記載の発明は、請求項１記載の可動装飾装置において、各可動装飾体を回転させる駆動源を、前記螺旋軸に内蔵させたことを特徴とするものである。
【０００８】
請求項４記載の発明は、請求項３記載の可動装飾装置において、前記駆動源は、各内側部材の内側に形成された内歯と噛み合う歯車を備えた駆動軸であることを特徴とするものである。
【０００９】
請求項５記載の発明は、請求項４記載の可動装飾装置において、前記内歯は、１回転以上の螺旋構造を有することを特徴とするものである。
【００１０】
請求項６記載の発明は、請求項１記載の可動装飾装置において、各装飾部材は、それぞれ１回転以上の螺旋構造を有し、所定位置において一体的な立体形状を構成するものであることを特徴とするものである。
【発明の効果】
【００１１】
本発明に係る可動装飾装置は、複数条の螺旋溝が形成された螺旋軸の外周に、軸線方向に回転移動可能な可動装飾体を各条に設けるものとし、この可動装飾体は、螺旋構造を有するとともに螺旋溝の各条に係合する内側部材と、その外周に設けられた装飾部材とを備えるものとし、さらに少なくとも一方の可動装飾体は、他の可動装飾体と干渉することなく個別に回転可能な構造とした。これにより、同軸線上に備えた複数の可動装飾体を、互いに干渉することなく独立制御して回転移動させることができる。また、可動装飾体の停止位置を制御することによって、可動装飾体を任意の形状としたり、任意の図柄を表示することが可能となる。
【００１２】
請求項２に係る発明によれば、各内側部材は、それぞれ１回転以上の螺旋構造を有するものとしたことにより、この内側部材を備える可動装飾体が、螺旋軸から離脱することを防止できる。
【００１３】
請求項５に係る発明によれば、内歯は、１回転以上の螺旋構造を有するものとしたことにより、内歯が常に駆動軸に設けられた複数の歯車のうちの１つ以上と噛合して、駆動軸からのドライブ力を受けることができることから、安定した可動装飾体の回転移動が可能となる。
【図面の簡単な説明】
【００１４】
【図１】本実施形態の分解斜視図である。
【図２】本実施形態の螺旋部材を示す上面図である。
【図３】本実施形態の螺旋部材を示す斜視図である。
【図４】図２に示すα方向からみた螺旋部材の側面図である。
【図５】図２に示すβ方向からみた螺旋部材の側面図である。
【図６】本実施形態の斜視図である。
【図７】本実施形態の断面斜視図である。
【図８】本実施形態の要部を示す断面斜視図である。
【図９】図８のＡ−Ａ’断面斜視図である。
【図１０】図８のＢ−Ｂ’断面斜視図である。
【図１１】本実施形態の動作時を示す斜視図である。
【図１２】その他の実施形態を示す斜視図である。
【図１３】その他の実施形態の動作時を示す斜視図である。
【発明を実施するための形態】
【００１５】
以下に本発明の好ましい実施形態を示す。
図１のように、土台となるベース部１には、螺旋溝が形成された螺旋軸２が固定されている。この螺旋軸２には２条の螺旋溝が形成されており、その外周には各条の螺旋溝に沿って回転しつつ、螺旋軸２の軸線方向に移動可能な可動装飾体３ａ、３ｂが、各条に設けられている。本発明の可動装飾装置は、前記ベース部１を、例えば街頭の看板等に固定することで、人の注目を集めるものとして使用することができ、また遊技機の遊技盤等に固定することで、遊技時の演出効果を高めるものとして使用することもできるなど、その用途は様々である。
【００１６】
可動装飾体３ａ、３ｂは、１回転の螺旋構造を有し、螺旋溝に係合する内側部材４ａ、４ｂと、その外周に取付けられ、２回転の螺旋構造を有する装飾部材５ａ、５ｂとからなるものである。内側部材４ａ、４ｂ及び装飾部材５ａ、５ｂは、駆動軸６ａ、６ｂの駆動によってそれぞれ回転されるものであり、いずれも螺旋構造を有することによって、一方の可動装飾体３ａが、他方の可動装飾体３ｂと干渉することなく、個別に回転できるものとした。
【００１７】
可動装飾体３ａ、３ｂを駆動させる構造として、図１のように、モータ７ａ、７ｂによって駆動されるモータギア８ａ、８ｂが各々設けられている。これらのモータギア８ａ、８ｂは、図７のように垂直方向に延びる駆動軸６ａ、６ｂに形成された複数の歯車９ａ、９ｂのうちの、最下部と各々噛合している。この駆動軸６ａ、６ｂは、２分割された螺旋軸２、２の間に形成された空間部に位置して、図６のように螺旋軸２の内側に設けられるものである。歯車９ａ、９ｂは、螺旋軸２に形成された異なる条の螺旋溝の内側に各々位置し、各条に対応して、１ピッチ毎に設けられるものである。これらの歯車９ａ、９ｂのうち、後述する内歯１０ａ、１０ｂと噛合する箇所は、図８及び図９のように、螺旋軸２、２を挟んで前記空間部に位置しているものである。また、２分割された螺旋軸２、２を固定し、かつ内側部材４ａ、４ｂの抜け止めのための蓋部材１１が、螺旋軸２の上部にネジ止めによって取付けられる。
【００１８】
図７及び図８のように、内側部材４ａには、一方の条の螺旋溝に係合する螺旋状の内歯１０ａが形成されており、またこの内歯１０ａは、前述のように歯車９ａと噛合するものでもある。本実施形態においては、図２乃至図５に示す螺旋部材を２つ連続配置した上で、各々を装飾部材５ａにネジ止めすることにより、内側部材４ａの内歯１０ａが１回転の螺旋構造を有するものとした。同様に、内側部材４ｂには、他方の条の螺旋溝に係合する螺旋状の内歯１０ｂが形成されており、この内歯１０ｂは、歯車９ｂと噛合するものでもある。また、前記螺旋部材を２つ連続配置した上で、各々を装飾部材５ｂにネジ止めし、内側部材４ｂの内歯１０ｂが１回転の螺旋構造を有するものとした。本実施形態においては、螺旋溝が２条であるため、条数と同数、すなわち２つの内側部材４ａ、４ｂ及び装飾部材５ａ、５ｂを備えるものとした。なお、装飾部材５ａ、５ｂは、図６のように所定位置において一体的な立体形状を構成するものとした。
【００１９】
したがって、一方のモータ７ａを駆動させることにより、可動装飾体３ａが、一方の条の螺旋溝に沿って回転しながら上昇して図１１の状態となる。また他方のモータ７ｂを駆動させることにより、可動装飾体３ｂを、前記と同様に、他方の条の螺旋溝に沿って回転しながら上昇させることができる。したがって、同軸線上、すなわち螺旋軸２の軸線上に備えた複数の可動装飾体３ａ、３ｂを、互いに干渉することなく独立制御して回転移動させることが可能となる。また、可動装飾体３ａ、３ｂの停止位置を制御することによって、可動装飾体３ａ、３ｂを任意の形状としたり、また任意の図柄を表示することが可能となる。なお、本実施形態では２つの可動装飾体３ａ、３ｂを独立制御するものとしたが、可動装飾体の数を増やす場合には、その個数と同数条の螺旋軸２とすれば良い。
【００２０】
また前述のように、内側部材４ａ、４ｂを、１回転の螺旋構造を有するものとしたことにより、可動装飾体３ａ、３ｂが螺旋軸２の螺旋溝から離脱することを防止することが可能となる。さらに、内歯１０ａ、１０ｂを、１回転の螺旋構造を有するものとしたことによって、内歯１０ａ、１０ｂが常に複数の歯車９ａ、９ｂのうちの１つ以上と噛合して、駆動軸６ａ、６ｂからのドライブ力を受けることができることから、安定した可動装飾体３ａ、３ｂの回転移動が可能となる。
【００２１】
図１のように、螺旋軸２の内側には発光体１２をネジ止めによって固定するものとした。本実施形態においては、螺旋軸２、及び可動装飾体３ａ、３ｂを透明な合成樹脂により成形するものとした。したがって、発光体１２の発光によって、より注目を集めたり、興趣を高めることができる。また、螺旋軸２、及び可動装飾体３ａ、３ｂを不透明な素材により成形する場合でも、２分割された螺旋軸２、２の間に形成された空間部から発光体１２の光が漏れる構造とすることもできる。
【００２２】
なお、内側部材４ａ、４ｂと、装飾部材５ａ、５ｂとを一体形成しても良く、さらに螺旋溝は、例えば棒状の心材にコイル等を巻き付けて形成されるものしても良い。また、駆動源は本実施形態の駆動軸６ａ、６ｂに限定されず、螺旋溝に係合した可動装飾体３ａ、３ｂを、螺旋軸２の軸線方向に移動させることができるものであれば良い。
【００２３】
その他の実施形態として、図１２及び図１３に示すように、螺旋構造を有する装飾部材５ａを備えた可動装飾体３ａと、その外周に設けられた円柱状の構造を有する装飾部材５ｂを備えた可動装飾体３ｂとにより可動装飾装置を構成するものとした。この実施形態においては、可動装飾体３ｂが有する内側部材が、可動装飾体３ａが有する装飾部材５ａ及び内側部材とぶつからない構造となっている。このような構造によっても、同軸線上、すなわち螺旋軸２の軸線上に備えた複数の可動装飾体３ａ、３ｂを、互いに干渉することなく独立制御して回転移動させることが可能となる。すなわち、少なくとも一方の可動装飾体が螺旋溝に沿って移動した際に、他の可動装飾体とぶつかるなどの干渉が生じない構造であれば良いものである。
【符号の説明】
【００２４】
１  ベース部
２  螺旋軸
３（３ａ、３ｂ）  可動装飾体
４（４ａ、４ｂ）  内側部材
５（５ａ、５ｂ）  装飾部材
６（６ａ、６ｂ）  駆動軸
７（７ａ、７ｂ）  モータ
８（８ａ、８ｂ）  モータギア
９（９ａ、９ｂ）  歯車
１０（１０ａ、１０ｂ）  内歯
１１  蓋部材
１２  発光体
【図１】
2015139916.tif 000003
【図２】
2015139916.tif 000004
【図３】
2015139916.tif 000005
【図４】
2015139916.tif 000006
【図５】
2015139916.tif 000007
【図６】
2015139916.tif 000008
【図７】
2015139916.tif 000009
【図８】
2015139916.tif 000010
【図９】
2015139916.tif 000011
【図１０】
2015139916.tif 000012
【図１１】
2015139916.tif 000013
【図１２】
2015139916.tif 000014
【図１３】
2015139916.tif 000015